(57)【特許請求の範囲】
【請求項１】
プリント基板上に、ＬＥＤランプをマトリクス状に配列するとともに電子部品を実装したＬＥＤ表示装置において、前記プリント基板上に、前記ＬＥＤランプを突出させるコントラスト向上シートを設け、該コントラスト向上シートは、前記ＬＥＤランプの側面上部を覆うサンバイザーを形成することを特徴とするＬＥＤ表示装置。
【請求項２】
前記コントラスト向上シートに、切り欠き部が形成され、該切り欠き部で囲まれた切り起こし部がサンバイザーとなることを特徴とする請求項1に記載のＬＥＤ表示装置。
【請求項３】
前記切り起こし部は前記ＬＥＤランプ裏面のリード部を覆うことを特徴とする請求項2に記載のＬＥＤ表示装置。
【請求項４】
前記切り欠き部をＵ字状に形成したことを特徴する請求項２または３に記載のＬＥＤ表示装置。
【請求項５】
前記ＬＥＤランプの突出時の折れ曲がり部分の一部に切り欠き部を形成したことを特徴する請求項1ないし３のいずれかに記載のＬＥＤ表示装置。
【請求項６】
ＬＥＤランプの周囲のプリント基板および周辺の電子部品を覆い隠す請求項１ないし５のいずれかに記載のコントラスト向上シート。
【請求項７】
シートの一方の面に接着層を形成してなる請求項6に記載のコントラスト向上シート。
【発明の詳細な説明】
【０００１】
【発明の属する技術分野】
本発明は、ＬＥＤをマトリクス状に配列し、任意の画像や、文字データを表示するＬＥＤ表示装置及びこれに使用するコントラスト向上シートに関する。
【０００２】
【従来の技術】
従来のＬＥＤ表示装置において、視認性の向上を図るために様々な工夫がなされていた。視認性の向上に大きく影響する要因はＬＥＤの発光輝度そのものが高いことはいうまでもないが、それ以外に大きく分けて二つの工夫を施す必要がある。
【０００３】
一つ目の方法として、発光部と非発光部の輝度の差をできるだけ大きくしてコントラスト比を向上させることである。すなわち、図８に示すように、ＬＥＤランプ１１とその周囲（プリント基板１２等）のコントラストを向上させるため、プリント基板１２に黒褐色の印刷を施すなどして高コントラストを得ている（例えば、実公平５―１７８９８号公報参照）。
【０００４】
二つ目の方法として、ＬＥＤランプそのものに入射される日光や外乱光を軽減させることである。すなわち、図９、図１０に示すように、ＬＥＤランプ１１の上部から太陽光が入射するのを軽減するため、樹脂で形成されたサンバイザー（日よけ）１３を取り付けている。あるいは、サンバイザーの変わりに、ＬＥＤの前面に遮光フィルターなどを取りつけて、ＬＥＤに入射する日光や外乱光を抑制すること、また、さらにＬＥＤランプ周囲を黒褐色のサンバイザーで覆うことによりコントラストの向上も同時に図る工夫がなされている。
【０００５】
【発明が解決しようとしている課題】
従来の技術において、図８のように、コントラストを向上させるためにプリント基板１２に黒褐色の印刷を施す方法では、プリント基板製作のコストアップにつながるばかりでなく、プリント基板上に実装されたコネクタや、駆動ＩＣなどの電子部品１４を接続する半田付け部分の光沢がコントラストの低下をまねき、また部品の外観が表示面に露出するために外観上好ましくないという欠点があった。
【０００６】
また、図９、図１０のように、日光や外乱光を抑制するためにサンバイザー１３を取り付ける場合、表示パネルのサイズが異なる場合や、ＬＥＤランプ１１を突出させる貫通穴１５等の径又はピッチが異なる毎に、サンバイザー１３の設計が必要となる。このサンバイザー１３は樹脂で形成するため、大きくなればなるほど樹脂の反りが大きくなり、取付け時の作業工数も多くかかるという欠点があった。
【０００７】
本発明はこれらの問題点を鑑み、これらの問題を同時にしかも安価で容易に解決することができるＬＥＤ表示装置を提供する。
【０００８】
【課題を解決するための手段】
本発明は、プリント基板上にＬＥＤランプをマトリクス状に配列したＬＥＤ表示装置において、前記ＬＥＤランプを突出させる切り欠き部を形成したコントラスト向上シートを設けたことを特徴とするＬＥＤ表示装置である。
【０００９】
前記切り欠き部で囲まれる切り起こし部により前記ＬＥＤランプの一部を覆ってなるものである。
【００１０】
前記切り起こし部は前記ＬＥＤランプの側面を覆うものである。
【００１１】
前記切り起こし部は前記ＬＥＤランプ裏面のリード部を覆うものである。
【００１２】
前記ＬＥＤランプの突出時の折れ曲がり部の一部に切り欠き部を形成したものである。
【００１４】
コントラスト向上シートは、シートの一方の面に接着層を形成してなるものである。
【００１５】
【発明の実施の形態】
図面にしたがって発明の実施の形態を詳細に説明する。
【００１６】
図１は本発明の一実施例を示すコントラスト向上シートの正面図、図２は前記コントラスト向上シートを取り付けたＬＥＤ表示装置の要部側面図である。
【００１７】
コントラスト向上シート１は、例えば加工の容易な黒褐色シートにＬＥＤランプ１１が配置される部分に切り欠き部２を設けてなり、このシート１をＬＥＤランプ１１の自立方向と垂直に押し込むことによって、ＬＥＤ１１の周囲のプリント基板１２及び周辺の電子部品１４を覆い隠すものである。なお、切り欠き部２の形状を工夫することによりにサンバイザーの効果も同時に得ることができる。また、シート１の一方の面に接着層を形成する事により、シート１の押し込み後、シート１をプリント基板１２に貼り付けて組み込みを強固にするようにしてもよい。
【００１８】
上記により、コントラストの向上を図るために、プリント基板１２に黒褐色の印刷を施すことなく、ＬＥＤランプ１１周辺のコントラストの向上、周辺部品を隠蔽することができるとともに、シート状の材質にすることで日光や外乱光の抑制を目的としたサンバイザーの設計や取付けが容易になり、従来技術ではなし得なかった、金型費低減、工数削減が可能となる。
【００１９】
コントラスト向上シート１は、ＬＥＤランプのコントラストを向上させるために、例えば黒褐色の材料もしくは黒褐色に着色された柔軟性のあるシートからなり、ＬＥＤランプ１１が配置される位置にそれぞれ各ＬＥＤランプ１１を突出させるための切り欠き部２を設けている。図１ではＵ字状の切り欠き部２を設けている。
【００２０】
図２に示されるように、回路部品１２及びＬＥＤランプ１１を実装したプリント基板１２に、ＬＥＤランプ１１の発光面より、上記のコントラスト向上シート１をＬＥＤランプ１１の自立方向に対して垂直に押し当てると、切り欠き部２で囲まれるシート部分が折れ曲がり、切り欠き部２からＬＥＤランプ１１を突出させるとともに、切り欠き部２で囲まれた切り起こし部２ＡによりＬＥＤランプ１１の上部にサンバイザーに相当する日よけが形成される。
【００２１】
上記により、同時にＬＥＤランプ１１周囲に実装された部品がコントラスト向上シート１により隠蔽され、コントラスト比が高く、実装部品の隠蔽されたＬＥＤ表示装置が実現できる。
【００２２】
図３は図１におけるＵ字状の切り欠き部２の拡大図であるが、この切り欠き部の形状により様々な効果が得られる。これらの実施例を図４から図８に示す。
【００２３】
図４はコントラスト向上シート１の取付け時の応力を軽減させるために、折れ曲がる部分を少なくするための一例である。すなわち、ここではＬＥＤランプ１１を突出させるときのシート折り曲がり部分の一部にも切り欠き部３を形成することにより、折り曲げ時の応力を軽減させている。
【００２４】
図５は表示装置の横側に強い光源がある場合など、ＬＥＤランプ１１の側面から入射する外乱光に対して有効な形状の一例であり、例えばＵ字状の切り欠き部２を９０度回転して設けることにより達成できる。
【００２５】
図６は特に外乱光の影響がない場合に有効な形状例であり、シート１にはＩ字状あるいはＨ字状に切り欠き部２を設けている。この場合、ＬＥＤランプ１１を実装したプリント基板１２に、ＬＥＤランプ１１の発光面より、上記のコントラスト向上シート１をＬＥＤランプ１１の自立方向に対して垂直に押し当てると、切り欠き部２からＬＥＤランプ１１が突出し、さらにシート１を突っ込めば、切り欠き部２で囲まれた切り起こし部２ＡがＬＥＤランプ１１の裏面で復帰し（このとき、ＬＥＤランプ１１のリードが切り欠き部２の一部に嵌まっている状態となることにより）、ＬＥＤランプ１１裏面のリードを覆う。すなわち、これによりプリント基板１２の略全体を覆うこととなる。図７はＬＥＤランプ１１の挿入方向が図６に対して９０度回転した場合の一例である。
【００２６】
【発明の効果】
以上のように本発明によれば、ＬＥＤランプを実装したプリント基板にコントラスト向上シートを取り付けることにより、表示装置のコントラスト向上、実装部品の隠蔽、サンバイザーの形成が同時に実現でき、またシート状であるため、取りつけ時の作業が容易になり、形状変更に対する設計・金型の変更なども容易になるなどの効果が得られる。
【図面の簡単な説明】
【図１】本発明の一実施例を示すコントラスト向上シートの概略正面図である。
【図２】本発明のコントラスト向上シートを取り付けた表示装置の要部側面図である。
【図３】コントラスト向上シートの切り欠き部の形状例を示す図である。
【図４】コントラスト向上シートの切り欠き部の形状例を示す図である。
【図５】コントラスト向上シートの切り欠き部の形状例を示す図である。
【図６】コントラスト向上シートの切り欠き部の形状例を示す図である。
【図７】コントラスト向上シートの切り欠き部の形状例を示す図である。
【図８】従来技術のＬＥＤ表示装置を示す概略要部斜視図である。
【図９】従来技術のＬＥＤマトリクスに取り付けるサンバイザーを示す概略斜視図である。
【図１０】上記サンバイザーを取り付けた場合を示す概略側面図である。
【符号の説明】
１  コントラスト向上シート
２、３  切り欠き部
２Ａ  折り曲がり部
１１  ＬＥＤランプ
１２  プリント基板
【図１】
0003559469.tif 000002
【図２】
0003559469.tif 000003
【図３】
0003559469.tif 000004
【図４】
0003559469.tif 000005
【図５】
0003559469.tif 000006
【図６】
0003559469.tif 000007
【図７】
0003559469.tif 000008
【図８】
0003559469.tif 000009
【図９】
0003559469.tif 000010
【図１０】
0003559469.tif 000011